(57)【特許請求の範囲】
【請求項１】
互いに接続される内部コネクタの一方及び他方をそれぞれ収容可能とされ、それら内部コネクタの外殻を構成して互いに結合されるプラグとレセプタクルとよりなるコネクタであって、
前記レセプタクルは、円筒部と、その円筒部の一端に形成されたフランジとよりなり、
前記プラグは、円筒状の基部とその基部の円筒が一部切り欠かれた形状とされて基部から延長された円弧状部とを備え、その円弧状部の先端側が嵌合部とされたバレルと、そのバレルの外周に取り付けられてバレルの軸心方向に移動可能とされたカップリングナットとを有し、
前記基部側を固定端とする片持ち梁状の係止片が前記円弧状部に切り抜かれて形成され、前記係止片の、前記嵌合部に位置する遊端には嵌合部の外周側に突出する係止爪が形成されており、
前記内部コネクタの一方は前記内部コネクタの他方との係止を解除する解除レバーを有し、前記バレルには前記解除レバーを有する内部コネクタが収容されるものとされ、
前記プラグと前記レセプタクルは、前記カップリングナットが前記円筒部の外周に形成されているねじに螺合されて結合される構造とされ、
前記結合の前に、前記嵌合部が前記円筒部に嵌合挿入されて前記円筒部の内面に位置決めされ、かつ前記係止爪によって前記係止片が前記レセプタクルに係止されることによって前記プラグは前記レセプタクルに仮固定されるものとされ、
前記内部コネクタ同士が互いに係止されて接続され、かつ前記係止片が前記レセプタクルに係止されている状態で、前記係止片は前記バレルの径方向において前記解除レバーと反対側に位置し、前記係止片の係止の解除は前記係止片と前記解除レバーとに互いに内向きの押圧力を加えることによって前記解除レバーによる係止の解除と同時に行うことが可能とされていることを特徴とするコネクタ。
【請求項２】
請求項１記載のコネクタにおいて、
前記円弧状部の外周面に前記円筒部の先端面と突き当たる突部が形成され、その突部より先端側が前記嵌合部とされていることを特徴とするコネクタ。
【請求項３】
請求項２記載のコネクタにおいて、
前記係止片には前記突部より前記固定端側に窓が形成されていることを特徴とするコネクタ。
【請求項４】
請求項３記載のコネクタにおいて、
前記係止片の前記窓が形成されている部分は窓が形成されていない部分より幅広とされていることを特徴とするコネクタ。
【請求項５】
請求項１記載のコネクタにおいて、
前記嵌合部は前記円筒部の内面の周方向２箇所に突出形成された突出部に周方向両端が挟まれて位置決めされることを特徴とするコネクタ。
【請求項６】
請求項５記載のコネクタにおいて、
前記各突出部は前記嵌合部の周方向端部を挟み込む形状とされていることを特徴とするコネクタ。
【請求項７】
請求項５又は６記載のコネクタにおいて、
前記嵌合部の先端における周方向両端に切り欠きが形成されていることを特徴とするコネクタ。
【請求項８】
請求項１記載のコネクタにおいて、
前記円筒部の内面に、円筒部の軸心方向に延びる２本の突条と、円筒部の先端側において前記２本の突条を連結する連結部とが突出形成され、
前記２本の突条と前記連結部とで囲まれて形成された溝に前記係止爪が位置して前記係止片が係止されることを特徴とするコネクタ。
【請求項９】
請求項８記載のコネクタにおいて、
前記２本の突条の上面と前記連結部の上面は一平面を構成し、前記嵌合部の前記一平面に嵌合挿入される部分は前記係止爪を除いて平面とされていることを特徴とするコネクタ。
【請求項１０】
請求項９記載のコネクタにおいて、
前記一平面の前記嵌合部が挿入されてくる側には傾斜面が形成されていることを特徴とするコネクタ。
【請求項１１】
請求項１記載のコネクタにおいて、
前記円筒部の先端側において前記嵌合部が嵌合挿入されない部分は切り欠かれていることを特徴とするコネクタ。
【請求項１２】
請求項１１記載のコネクタにおいて、
前記円筒部の切り欠かれている位置を示すマーカが前記フランジに設けられていることを特徴とするコネクタ。
【請求項１３】
請求項１記載のコネクタにおいて、
前記フランジは、方形外形部と、その方形外形部より内側に位置する円形外形部とよりなり、前記円形外形部の外径は前記カップリングナットの外径と等しくされていることを特徴とするコネクタ。
【請求項１４】
請求項１記載のコネクタにおいて、
前記基部と前記カップリングナットとの間にＯリングが挟み込まれる構造となっていることを特徴とするコネクタ。
【請求項１５】
請求項１記載のコネクタにおいて、
前記カップリングナットが前記円筒部の前記ねじに螺合されて結合された状態で露出する溝が前記基部の外周面に形成されていることを特徴とするコネクタ。
【請求項１６】
請求項１記載のコネクタにおいて、
前記カップリングナットによって挟み込まれるＯリングが前記円筒部の根元部分に配されていることを特徴とするコネクタ。
【発明の詳細な説明】
【技術分野】
【０００１】
この発明はプラグとレセプタクルとよりなるコネクタに関し、特に互いに接続される光コネクタなどの内部コネクタの一方及び他方をそれぞれ内部に収容可能な構造とされて、それら内部コネクタの外殻を構成し、内部コネクタを保護するコネクタに関する。
【背景技術】
【０００２】
図８は特許文献１に記載されているコネクタの構成を示したものであり、図８中、１１は光ファイバの端末に取り付けられた光コネクタを示し、１２は光コネクタ１１が挿入接続される相手方の光コネクタを示す。また、１３は光コネクタ１１を内部に収容するプラグを示し、１４は光コネクタ１２を内部に収容するレセプタクルを示す。プラグ１３とレセプタクル１４は光コネクタ１１，１２のそれぞれ外殻を構成している。なお、図８中、１５は光ケーブルを示し、１６は光コネクタ１２が取り付けられているトランシーバを示す。
【０００３】
レセプタクル１４は円筒部１７と、その円筒部１７の一端に形成されたフランジ１８とよりなる。円筒部１７の外周にはねじが形成されており、また円筒部１７の内面にはくぼみ１９が２箇所に形成されている。
【０００４】
プラグ１３は筒状体２１と、その筒状体２１の外側に位置される外筒２２を備え、筒状体２１には片持ち梁状をなす２本のアーム２３が突出形成されている。各アーム２３の先端には係止部２４が設けられている。
【０００５】
プラグ１３とレセプタクル１４とはプラグ１３の外筒２２の先端側内周に形成されているねじがレセプタクル１４の円筒部１７のねじに螺合されることによって結合される。この際、プラグ１３の２本のアーム２３の先端に設けられている係止部２４はレセプタクル１４の円筒部１７のくぼみ１９に挿入されて係止される。
【先行技術文献】
【特許文献】
【０００６】
【特許文献１】米国特許出願公開第２０１１／０００３５０１号明細書
【発明の概要】
【発明が解決しようとする課題】
【０００７】
上述したようなプラグ１３とレセプタクル１４の構造によれば、プラグ１３のアーム２３先端の係止部２４をレセプタクル１４に係止させることにより、プラグ１３のアーム２３をレセプタクル１４に固定することができ、つまりプラグ１３をレセプタクル１４に仮固定することができるため、光コネクタ１１と１２の接続作業を行い易いものとなっている。例えば、レセプタクル１４が天井等に取り付けられ、プラグ１３を鉛直方向上方に向かってレセプタクル１４に結合する場合においても、光コネクタ１１の挿入接続作業時や外筒２２の螺合時に、それらの脱落（落下）を回避することができる。
【０００８】
しかしながら、図８に示したプラグ１３では係止部２４はレセプタクル１４の円筒部１７内において互いに対向する２つとされ、また単にレセプタクル１４に引っ掛かるような形状とされており、さらにアーム２３が長いため、係止強度が強いとは言えず、特に係止部２４が対向する左右方向（Ｙ方向）と直交する上下方向（Ｚ方向）に外力が加わった場合には係止部２４がレセプタクル１４から外れ易いといった問題がある。
【０００９】
この発明の目的はこの問題に鑑み、プラグとレセプタクルの螺合による結合の前に、プラグを強固にレセプタクルに仮固定することができるようにし、従来に比し、仮固定時の係止強度の向上を図ったコネクタを提供することにある。
【課題を解決するための手段】
【００１０】
請求項１の発明によれば、互いに接続される内部コネクタの一方及び他方をそれぞれ収容可能とされ、それら内部コネクタの外殻を構成して互いに結合されるプラグとレセプタクルとよりなるコネクタにおいて、レセプタクルは円筒部とその円筒部の一端に形成されたフランジとよりなり、プラグは円筒状の基部とその基部の円筒が一部切り欠かれた形状とされて基部から延長された円弧状部とを備え、その円弧状部の先端側が嵌合部とされたバレルと、そのバレルの外周に取り付けられてバレルの軸心方向に移動可能とされたカップリングナットとを有し、前記基部側を固定端とする片持ち梁状の係止片が前記円弧状部に切り抜かれて形成され、係止片の、嵌合部に位置する遊端には嵌合部の外周側に突出する係止爪が形成されており、内部コネクタの一方は内部コネクタの他方との係止を解除する解除レバーを有し、バレルには解除レバーを有する内部コネクタが収容されるものとされ、プラグとレセプタクルはカップリングナットが前記円筒部の外周に形成されているねじに螺合されて結合される構造とされ、前記結合の前に、嵌合部が前記円筒部に嵌合挿入されて前記円筒部の内面に位置決めされ、かつ係止爪によって係止片がレセプタクルに係止されることによってプラグはレセプタクルに仮固定されるものとされ、内部コネクタ同士が互いに係止されて接続され、かつ係止片がレセプタクルに係止されている状態で、係止片はバレルの径方向において解除レバーと反対側に位置し、係止片の係止の解除は係止片と解除レバーとに互いに内向きの押圧力を加えることによって解除レバーによる係止の解除と同時に行うことが可能とされている。
【００１２】
請求項２の発明では請求項１の発明において、前記円弧状部の外周面に前記円筒部の先端面と突き当たる突部が形成され、その突部より先端側が嵌合部とされる。
【００１３】
請求項３の発明では請求項２の発明において、係止片には前記突部より前記固定端側に窓が形成されているものとされる。
【００１４】
請求項４の発明では請求項３の発明において、係止片の窓が形成されている部分は窓が形成されていない部分より幅広とされる。
【００１５】
請求項５の発明では請求項１の発明において、嵌合部は前記円筒部の内面の周方向２箇所に突出形成された突出部に周方向両端が挟まれて位置決めされる。
【００１６】
請求項６の発明では請求項５の発明において、前記各突出部は嵌合部の周方向端部を挟み込む形状とされる。
【００１７】
請求項７の発明では請求項５又は６の発明において、嵌合部の先端における周方向両端に切り欠きが形成されているものとされる。
【００１８】
請求項８の発明では請求項１の発明において、前記円筒部の内面に、円筒部の軸心方向に延びる２本の突条と、円筒部の先端側において２本の突条を連結する連結部とが突出形成され、２本の突条と連結部とで囲まれて形成された溝に係止爪が位置して係止片が係止される構造とされる。
【００１９】
請求項９の発明では請求項８の発明において、２本の突条の上面と連結部の上面は一平面を構成し、嵌合部の前記一平面に嵌合挿入される部分は係止爪を除いて平面とされる。
【００２０】
請求項１０の発明では請求項９の発明において、前記一平面の嵌合部が挿入されてくる側には傾斜面が形成されているものとされる。
【００２１】
請求項１１の発明では請求項１の発明において、前記円筒部の先端側において嵌合部が嵌合挿入されない部分は切り欠かれているものとされる。
【００２２】
請求項１２の発明では請求項１１の発明において、前記円筒部の切り欠かれている位置を示すマーカがフランジに設けられているものとされる。
【００２３】
請求項１３の発明では請求項１の発明において、フランジは方形外形部と、その方形外形部より内側に位置する円形外形部とよりなり、円形外形部の外径はカップリングナットの外径と等しくされる。
【００２４】
請求項１４の発明では請求項１の発明において、前記基部とカップリングナットとの間にＯリングが挟み込まれる構造となっている。
【００２５】
請求項１５の発明では請求項１の発明において、カップリングナットが前記円筒部のねじに螺合されて結合された状態で露出する溝が前記基部の外周面に形成されているものとされる。
【００２６】
請求項１６の発明では請求項１の発明において、カップリングナットによって挟み込まれるＯリングが前記円筒部の根元部分に配されているものとされる。
【発明の効果】
【００２７】
この発明によれば、プラグとレセプタクルの螺合による結合の前に、プラグを強固にレセプタクルに仮固定することができる。これにより、例えばプラグを鉛直方向上方に向かってレセプタクルに結合するような場合であっても、不測の外力によりプラグが脱落（落下）するといったことを完全に防止することができ、よって内部コネクタの接続作業やプラグの螺合作業を容易に、かつ安心して行うことができる。
【図面の簡単な説明】
【００２８】
【図１】Ａはこの発明によるコネクタの一実施例におけるレセプタクルを示す斜視図、Ｂはこの発明によるコネクタの一実施例におけるプラグを示す斜視図。
【図２】Ａは図１Ａに示したレセプタクルの正面図、Ｂはその平面図、Ｃはその背面図、Ｄはその側面図、Ｅはその斜視図、ＦはＡのＪＪ線断面図、ＧはＡのＫＫ線断面図。
【図３】Ａは図１Ｂに示したプラグの正面図、Ｂはその平面図、Ｃはその底面図。
【図４】Ａは図３Ａに示したプラグの斜視図、Ｂはその横断面図、Ｃはその縦断面図。
【図５】Ａは図１に示したプラグとレセプタクルの仮固定後、螺合結合される直前の状態を示す正面図、Ｂはその縦断面図。
【図６】内部コネクタを収容したプラグとレセプタクルにおいて、内部コネクタが接続され、プラグとレセプタクルが仮固定された状態を示す斜視図、Ｂはその下方から見た斜視図、Ｃはその断面図。
【図７】内部コネクタを収容したプラグとレセプタクルが結合された状態を示す斜視図、Ｂはその横断面図、Ｃはその縦断面図。
【図８】Ａは従来のコネクタを示す斜視図、ＢはＡに示したコネクタが結合される前の状態を示す斜視図。
【発明を実施するための形態】
【００２９】
この発明の実施形態を図面を参照して実施例により説明する。
【００３０】
図１Ａ，Ｂはこの発明によるコネクタを構成するレセプタクルとプラグの外観を示したものであり、図１Ａ，Ｂでは内部に収容される内部コネクタの図示はそれぞれ省略している。図２はレセプタクルの形状を示したものであり、図３及び図４はプラグの形状、断面構造を示したものである。
【００３１】
レセプタクル３０は円筒部３１と、その円筒部３１の一端に形成されたフランジ３２とよりなり、金属製とされる。フランジ３２は方形外形部３２ａと、その方形外形部３２ａより内側に位置する円形外形部３２ｂとよりなる。方形外形部３２ａの４隅には貫通穴３２ｃがそれぞれ形成されており、これら貫通穴３２ｃの位置と対応して円形外形部３２ｂの周面には円弧状にへこんだ形状をなすへこみ３２ｄが４箇所に設けられている。
【００３２】
円形外形部３２ｂに続く円筒部３１の外周面には溝３１ａが環状に形成され、さらに溝３１ａに続いてねじ３１ｂが形成されている。円筒部３１の、ねじ３１ｂが形成されている部分より先端側は外径が若干小さくされており、この円筒部３１の先端側は大きく切り欠かれ、切り欠き３１ｃによって円筒部３１の先端側は上方に大きく開放されている。
【００３３】
円筒部３１の内面の周方向２箇所には突出部３１ｄが突出形成されている。突出部３１ｄは円筒部３１の切り欠き３１ｃの両端に位置しており、この例では互いに対向する位置に（互いに１８０°をなす位置に）形成されている。突出部３１ｄは断面鉤形状をなすものとされ、先端側は切り欠き３１ｃと反対側に折れ曲がった形状とされている。突出部３１ｄは円筒部３１の先端面３１ｅから後端面３１ｆ近くまで軸心方向に延伸して設けられており、切り欠き３１ｃより奥側（後端面３１ｆ側）では円筒部３１の内面と連結している部分の周方向の幅は幅広とされている。
【００３４】
円筒部３１の内面にはさらに２本の突条３１ｇと連結部３１ｈが突出形成されている。２本の突条３１ｇは切り欠き３１ｃと対向する位置に、円筒部３１の軸心方向に互いに平行に延伸されて形成されており、これら２本の突条３１ｇは円筒部３１の先端側において連結部３１ｈによって連結されている。２本の突条３１ｇの上面と連結部３１ｈの上面は一平面をなし、この平面３１ｉの先端側（円筒部３１の先端面３１ｅ側）には傾斜面３１ｊが形成されている。２本の突条３１ｇと連結部３１ｈとによって囲まれた領域は溝３１ｋとなる。
【００３５】
レセプタクル３０は例えばパネル等に取り付けられるもので、取り付けはフランジ３２の方形外形部３２ａがねじ止め固定されることによって行われる。ねじは４隅の貫通穴３２ｃを挿通してパネルにねじ止めされる。円形外形部３２ｂに設けられているへこみ３２ｄはねじに対する逃げをなす。なお、方形外形部３２ａの４辺のうち、円筒部３１の切り欠き３１ｃの位置と対応する辺の側面にはマーカ３２ｅが形成されている。マーカ３２ｅはこの例では図１Ａ，図２Ｂに示したような形状を有するわずかなへこみとされている。
【００３６】
レセプタクル３０にはＯリング３３，３４が配されている。一方のＯリング３３は円筒部３１の根元部分の溝３１ａに配置され、他方のＯリング３４はフランジ３２の背面側に形成された円筒部３１と同心の環状をなす溝３２ｆに配置されている。Ｏリング３４はフランジ３２をパネル等に取り付ける際、パネルとフランジ３２によって挟み込まれるものとなっている。
【００３７】
プラグ４０はこの例ではバレル４１とカップリングナット４２とクランプナット４３とＯリング４４とケーブルシール４５とによって構成されている。バレル４１及びクランプナット４３は樹脂製とされ、カップリングナット４２は金属製とされている。
【００３８】
バレル４１は円筒状の基部４１ａと、その基部４１ａの円筒が一部切り欠かれた形状とされて基部４１ａから延長された円弧状部４１ｂとよりなる。円弧状部４１ｂの外周面には突部４１ｃが周方向に延伸されて形成されている。円弧状部４１ｂの突部４１ｃより先端側の部分は嵌合部４１ｄをなす。
【００３９】
円弧状部４１ｂには基部４１ａ側を固定端とする片持ち梁状の係止片４１ｅが切り抜かれて形成されており、嵌合部４１ｄに位置する係止片４１ｅの遊端には嵌合部４１ｄの外周側に突出する係止爪４１ｆが形成されている。係止片４１ｅの延伸方向中間部分は幅広とされており、突部４１ｃはこの幅広部分４１ｇの遊端側に位置している。係止片４１eの幅広部分４１ｇには突部４１ｃに続いて大きな窓４１ｈが固定端側に形成されている。
【００４０】
円弧状部４１ｂはこの例ではほぼ半円筒形とされ、上方に大きく開放された形状となっている。円弧状部４１ｂの先端側の嵌合部４１ｄの先端における周方向両端には切り欠き４１ｉが形成されている。なお、係止片４１ｅが位置する嵌合部４１ｄの周方向中間部分は係止爪４１ｆを除いて平面をなすものとされており、係止爪４１ｆはこの平面４１ｊから突出されている。
【００４１】
カップリングナット４２はバレル４１を囲むようにバレル４１の外周に取り付けられている。カップリングナット４２は後端側がややすぼまった形状とされており、先端内周面にはねじ４２ａが形成されている。カップリングナット４２の先端側の外径は、この例ではレセプタクル３０のフランジ３２の円形外形部３２ｂの外径と等しくされている。カップリングナット４２はバレル４１の軸心方向に移動可能とされている。
【００４２】
バレル４１の基部４１ａとカップリングナット４２との間にはＯリング４４が挟み込まれる構造となっている。Ｏリング４４は基部４１ａの外周に形成された溝４１ｋに配置されており、カップリングナット４２が移動しても露出することはない。なお、基部４１ａの軸心方向中間部分は外径がやや小さくされており、これにより形成された基部４１ａの先端側の段部４１ｍによってカップリングナット４２は抜け止めされるものとなっている。段部４１ｍより少し後方の基部４１ａの外周には溝４１ｎが環状に形成されている。
【００４３】
一方、バレル４１の基部４１ａの後端側にはクランプナット４３が螺合されて取り付けられている。クランプナット４３は基部４１ａの外周に螺合され、螺合により基部４１ａの後端側部分は押圧されて押し込まれ、つまり径がすぼめられるものとなっている。ケーブルシール４５はクランプナット４３が螺合される基部４１ａの後端側部分の内面に配されている。なお、クランプナット４３はカップリングナット４２の後方への抜け止めとして機能する。
【００４４】
図５は上記のような構造を有するプラグ４０とレセプタクル３０が仮固定された後、螺合結合される直前の状態を示したものである。プラグ４０のバレル４１先端の嵌合部４１ｄはレセプタクル３０の円筒部３１に嵌合挿入されており、係止片４１ｅはレセプタクル３０に係止されている。レセプタクル３０の円筒部３１への嵌合部４１ｄの挿入は、プラグ４０のカップリングナット４２とレセプタクル３０の螺合による結合の前に行われ、これによりプラグ４０をレセプタクル３０に仮固定することができるものとなっている。
【００４５】
嵌合部４１ｄはレセプタクル３０の円筒部３１の内面に突出形成されている２箇所の突出部３１ｄに周方向両端が挟まれて位置決めされる。突出部３１ｄは前述したように切り欠き３１ｃと反対側に、つまり嵌合部４１ｄが位置する側に先端が折れ曲がった断面鉤形状をなすものとされているため、この突出部３１ｄによって嵌合部４１ｄの周方向両端は挟み込まれる。なお、嵌合部４１ｄの先端の周方向両端には切り欠き４１ｉが形成されているため、円筒部３１内面の２箇所の突出部３１ｄ間に嵌合部４１ｄを挿入する際、挿入を容易に行えるものとなっている。
【００４６】
係止片４１ｅの係止爪４１ｆは円筒部３１の内面に２本の突条３１ｇと連結部３１ｈとによって囲まれて形成されている溝３１ｋに位置して連結部３１ｈに引っ掛り、これにより係止片４１ｅはレセプタクル３０に係止される。２本の突条３１ｇの上面と連結部３１ｈの上面がなす平面３１ｉ上には嵌合部４１ｄの周方向中間部分の平面４１ｊが挿入されて位置される。平面３１ｉの先端側（前端側）には傾斜面３１ｊが形成されているため、係止爪４１ｆを有する係止片４１ｅを容易に円筒部３１内に挿入することができる。なお、嵌合部４１ｄは円弧状部４１ｂの外周面に形成されている突部４１ｃが円筒部３１の先端面３１ｅと突き当たるまで円筒部３１に挿入される。
【００４７】
このように、この例では円筒部３１に嵌合挿入された嵌合部４１ｄは２つの突出部３１ｄによって位置決めされて動きが規制されると共に、係止爪４１ｆがレセプタクル３０の溝３１ｋに位置して抜け止めされるものとなっている。このような構成により、この例ではレセプタクル３０に対するバレル４１の係止強度は従来に比し、大幅に向上しており、外力があらゆる方向に加わってもバレル４１が外れることなく、プラグ４０を強固にレセプタクル３０に仮固定することができるものとなっている。
【００４８】
なお、嵌合部４１ｄが嵌合挿入されない部分において、レセプタクル３０の円筒部３１の先端側は切り欠き３１ｃによって上方に大きく開放されており、同様にバレル４１の円弧状部４１ｂも上方に大きく開放されているため、プラグ４０をレセプタクル３０に仮固定した際、内部コネクタを視認可能な大きな開口が形成されるものとなっている。
【００４９】
図６は内部コネクタを収容したプラグ４０とレセプタクル３０が仮固定され、内部コネクタ同士が接続された状態を示したものであり、図７はカップリングナット４２が円筒部３１に螺合されて、図６に示したプラグ４０とレセプタクル３０が結合された状態を示したものである。プラグ４０のバレル４１には光コネクタ５０が収容されており、レセプタクル３０には光コネクタ付きトランシーバ６０の光コネクタ７０が収容されている。プラグ４０及びレセプタクル３０はこれら光コネクタ５０，７０の外殻を構成している。なお、光コネクタ５０は光コネクタ７０との係止用のラッチ片５１とラッチ片５１による係止を解除する解除レバー５２を備えている。
【００５０】
プラグ４０のレセプタクル３０への結合は下記の手順で行われる。
（１）まず、クランプナット４３をゆるめる。これにより光ケーブル８０の押圧固定が解除され、プラグ４０に対して光コネクタ５０が自由になる。
（２）光コネクタ５０を光コネクタ７０に接続する。ラッチ片５１が光コネクタ７０に挿入されて係止されることにより、光コネクタ５０と７０とが接続される。
（３）嵌合部４１ｄをレセプタクル３０に挿入し、プラグ４０をレセプタクル３０に仮固定する。
（４）カップリングナット４２をレセプタクル３０に螺合して固定する。
（５）最後に、クランプナット４３を締め付ける。
【００５１】
これにより、プラグ４０とレセプタクル３０の結合作業が完了する。レセプタクル３０に配されているＯリング３３はカップリングナット４２によって挟み込まれる。
【００５２】
一方、プラグ４０の取り外しは下記の手順で行われる。
（１）カップリングナット４２をゆるめ、レセプタクル３０から外す。
（２）係止片４１ｅの窓４１ｈが形成されている幅広部分４１ｇと光コネクタ５０の解除レバー５２とに互いに内向きの押圧力を加え、つまり係止片４１ｈと解除レバー５２とを両側から押しながら引き抜く。これにより、解除レバー５２によるラッチ片５１の係止の解除と、係止片４１ｅの係止の解除とが同時に行われ、光コネクタ７０から光コネクタ５０が離脱すると共に、プラグ４０がレセプタクル３０から離脱し、取り外し作業が完了する。
【００５３】
以上、この発明の実施例について説明したが、上述した実施例の主な特徴点及びそれによる利点を以下に列記する。
【００５４】
（ａ）略半円筒形をなす嵌合部４１ｄがレセプタクル３０に挿入され、２箇所の突出部３１ｄによって周方向両端が挟み込まれて位置決め固定されると共に係止片４１ｅが係止され、これによりプラグ４０の仮固定が行われるものとなっている。よって、仮固定時の係止強度が大幅に向上し、内部コネクタの接続離脱作業やカップリングナット４２の螺合作業を容易に、かつ安心して行うことができる。
【００５５】
（ｂ）プラグ４０の係止片４１ｅは、バレル４１に収容される光コネクタ５０の、相手方光コネクタ７０との係止を解除する解除レバー５２とバレル４１の径方向において反対側に位置している。よって、解除レバー５２と係止片４１ｅを片手で両側から挟んで押すことができるため、レセプタクル３０からプラグ４０を取り外す際、片手で解除レバー５２と係止片４１ｅを押しながら引き抜くことで離脱作業を極めて簡単に行うことができる。
【００５６】
（ｃ）係止片４１ｅに大きな窓４１ｈが形成されており、この窓４１ｈを介して光コネクタ５０や指を見ることができる。よって、離脱作業時に光コネクタ５０の解除レバー５２を押すといった作業を容易に行うことができる。
【００５７】
（ｄ）レセプタクル３０の円筒部３１内には互いに対向する位置に嵌合部４１ｄを挟み込む突出部３１ｄが形成されており、これら突出部３１ｄによって嵌合部４１ｄの誤挿入を防止することができるものとなっている。
【００５８】
（ｅ）嵌合部４１ｄの先端に切り欠き４１ｉを設けているため、嵌合部４１ｄの周方向両端を挟み込む形状の突出部３１ｄへの挿入作業を行いやすい。
【００５９】
（ｆ）バレル４１及びレセプタクル３０の円筒部３１に大きな切り欠きを設け、大きな開口が形成されるようにしている。よって、光コネクタ５０，７０の接続離脱作業を容易に行うことができる。
【００６０】
（ｇ）レセプタクル３０のフランジ３２にマーカ３２ｅを設けている。これにより、円筒部３１の切り欠き３１ｃの位置がわかり、つまり光コネクタ５０，７０を視認できる方向がわかるため、例えば光コネクタ５０，７０の離脱作業を行う際の作業者の位置取りが容易となる。
【００６１】
（ｈ）カップリングナット４２の螺合が完了した際に露出する溝４１ｎがバレル４１の外周に設けられている。よって、この溝４１ｎの視認により螺合が完了したことを確認することができる。
【００６２】
（ｉ）レセプタクル３０のフランジ３２をパネル等に取り付け固定するためのねじのねじ頭はフランジ３２の厚み内に位置する。よって、カップリングナット４２と干渉することはなく、またねじ頭で怪我をするといったことも防止することができる。
【００６３】
（ｊ）レセプタクル３０はＯリング３３，３４を備え、プラグ４０はＯリング４４及びケーブルシール４５を備えている。よって、プラグ４０とレセプタクル３０とよりなるコネクタの防水構造が実現されている。
【００６４】
（ｋ）さらに、防水性能を向上させるべく、カップリングナット４２の螺合後に、プラグ４０とレセプタクル３０にまたがって防水テープを巻くといったことも行われるが、この例ではフランジ３２に円形外形部３２ｂを設け、円形外形部３２ｂの外径とカップリングナット４２の先端側の外径とを等しくしている。よって、防水テープを良好に、かつ作業性良く巻くことができる。
【００６５】
なお、上述した実施例では光コネクタを内部コネクタとして説明しているが、この光コネクタは例えば規格化されているＬＣコネクタやＳＣコネクタ等とされる。内部コネクタはこのような光コネクタに限らず、電気コネクタであってもよい。
【符号の説明】
【００６６】
１１，１２  光コネクタ                        １３    プラグ
１４        レセプタクル                      １５    光ケーブル
１６        トランシーバ                      １７    円筒部
１８        フランジ                          １９    くぼみ
２１        筒状体                            ２２    外筒
２３        アーム                            ２４    係止部
３０        レセプタクル                      ３１    円筒部
３１ａ      溝                                ３１ｂ  ねじ
３１ｃ      切り欠き                          ３１ｄ  突出部
３１ｅ      先端面                            ３１ｆ  後端面
３１ｇ      突条                              ３１ｈ  連結部
３１ｉ      平面                              ３１ｊ  傾斜面
３１ｋ      溝                                ３２    フランジ
３２ａ      方形外形部                        ３２ｂ  円形外形部
３２ｃ      貫通穴                            ３２ｄ  へこみ
３２ｅ      マーカ                            ３２ｆ  溝
３３，３４  Ｏリング                          ４０    プラグ
４１        バレル                            ４１ａ  基部
４１ｂ      円弧状部                          ４１ｃ  突部
４１ｄ      嵌合部                            ４１ｅ  係止片
４１ｆ      係止爪                            ４１ｇ  幅広部分
４１ｈ      窓                                ４１ｉ  切り欠き
４１ｊ      平面                              ４１ｋ  溝
４１ｍ      段部                              ４１ｎ  溝
４２        カップリングナット                ４２ａ  ねじ
４３        クランプナット                    ４４    Ｏリング
４５        ケーブルシール                    ５０    光コネクタ
５１        ラッチ片                          ５２    解除レバー
６０        光コネクタ付きトランシーバ        ７０    光コネクタ
８０        光ケーブル
【図１】
0005956826.tif 000002
【図２】
0005956826.tif 000003
【図３】
0005956826.tif 000004
【図４】
0005956826.tif 000005
【図５】
0005956826.tif 000006
【図６】
0005956826.tif 000007
【図７】
0005956826.tif 000008
【図８】
0005956826.tif 000009